(57)【要約】【課題】ヒール靴の製造コストの低減を図りつつ、歩行中における足の前滑りを抑制して、歩行の安定性を十分に図ること。【解決手段】ヒール靴１０における中底１４の表面と中敷２２の裏面との間には、ヒール靴用の中間パッド２４が設けられている。中間パッド２４の踵対応部２４ａの表面には、踵部Ｆａの踵骨Ｆａｂを保持する凹曲面形状の保持部３４が形成されている。保持部３４の後縁３４ｔは、中間パッド２４の踵対応部２４ａの表面の後縁２４ａｔに一致している。【選択図】図２
2020089518.tif 000002
【特許請求の範囲】
【請求項１】
ヒール靴における中底の表面と中敷の裏面との間に設けられるヒール靴用の中間パッドにおいて、
踵対応部の表面に、足の踵部を保持する凹曲面形状の保持部が形成され、前記保持部の後縁が前記中間パッドの表面の後縁に一致していることを特徴とするヒール靴用の中間パッド。
【請求項２】
長さ方向に沿った縦断面における、裏面の後縁側の仮想延長線と表面の後縁側の仮想延長線とのなす角は、５度〜２０度に設定されていることを特徴とする請求項１に記載のヒール靴用の中間パッド。
【請求項３】
幅方向内側及び幅方向外側に、上方向に向かって立ち上がる立ち上がり部が長さ方向に沿ってそれぞれ形成され、前記保持部が一対の前記立ち上がり部の間に配置されていることを特徴とする請求項１又は請求項２に記載のヒール靴用の中間パッド。
【請求項４】
各立ち上がり部の踵対応部側の立ち上がり角が土踏まず対応部側の立ち上がり角よりも大きくなっていることを特徴とする請求項３に記載のヒール靴用の中間パッド。
【発明の詳細な説明】
【技術分野】
【０００１】
本発明は、パンプス、ハイヒール等のヒール靴における中底の表面と中敷の裏面との間に設けられるヒール靴用の中間パッドに関する。
【背景技術】
【０００２】
ヒール靴の土踏まず対応部は、踵対応部を踏付対応部よりも高くするように、水平方向に対して傾斜している。そのヒール靴の特性により、歩行中にヒール靴内において足が前滑りし易く、一般的なヒール靴は、他の靴と比べて非常に歩きにくい。
【０００３】
一方、歩行中における足の前滑りを抑制するために、特殊なヒール靴も開発されている。この特殊なヒール靴では、中敷の踵対応部の一部分を接地面側（下方向）に突出させることにより、中敷の踵対応部の表面に足の踵部を保持する凹曲面形状の保持部を形成している（特許文献１参照）。
【先行技術文献】
【特許文献】
【０００４】
【特許文献１】特開２００７−１３０２６８号公報
【発明の概要】
【発明が解決しようとする課題】
【０００５】
ところで、特殊なヒール靴を製造する際には、平坦な成形面を有した一般的なの靴型（ラスト）でなく、成形面に中敷の突出した部分に対応する成形凹部が形成された特殊な靴型を用いなければならない。また、ヒール靴の構成要素として、平坦な接合面を有した一般的なヒールでなく、接合面に中敷の突出した部分に対応する接合凹部を形成された特殊なヒールを用いる必要がある。そのため、特殊なヒール靴は、一般的なヒール靴に比べて製造コストが高くなる。
【０００６】
なお、特殊な靴型を用いることなく、中底の踵対応部の表面を切削して凹曲面形状の保持部を形成することも考えられるが、その作業は、非常に厄介であり、現実的ではない。
【０００７】
つまり、ヒール靴の製造コストの低減を図りつつ、歩行中における足の前滑りを抑制して、歩行の安定性を図ることは容易でないという問題がある。
【０００８】
そこで、本発明は、特殊な靴型及び特殊なヒールを用いることなく、足の踵部を安定的に保持することができる、新規な構成のヒール靴用の中間パッドを提供することを課題とする。
【課題を解決するための手段】
【０００９】
本発明の第１実施態様は、ヒール靴における中底の表面と中敷の裏面との間に設けられるヒール靴用の中間パッドにおいて、踵対応部の表面に、足の踵部（踵部の踵骨）を保持する凹曲面形状の保持部が形成され、前記保持部の後縁が表面の後縁に一致している。
【００１０】
本発明の第１実施態様では、長さ方向に沿った縦断面における、裏面の後縁側の仮想延長線と表面の後縁側の仮想延長線とのなす角は、５度〜２０度に設定されてもよい。また、幅方向内側及び幅方向外側に、上方向に向かって立ち上がる立ち上がり部が長さ方向に沿ってそれぞれ形成され、前記保持部が一対の前記立ち上がり部の間に配置されてもよい。この場合には、各立ち上がり部の踵対応部側の立ち上がり角が土踏まず対応部側の立ち上がり角よりも大きくなってもよい。
【００１１】
本発明の第１実施態様によると、前述のように、前記中間パッドの踵対応部の表面に凹曲面形状の前記保持部が形成されている。前記保持部の後縁が前記中間パッドの表面の後縁に一致している。そのため、特殊な靴型及び特殊なヒールを用いることなく、歩行時に前方向の力が足の踵部に働くことを抑えつつ、足の踵部を安定的に保持することができる。
【００１２】
本発明の第２実施態様は、踵対応部を踏付対応部よりも高くするように、土踏まず対応部が水平方向に対して傾斜したヒール靴において、本底と、前記本底の表面に接合された中底と、前記中底の踵対応部の裏面に設けられたヒールと、前記中底の表面に設けられた中敷と、前記中底の表面と前記中敷の裏面との間に設けられた本発明の第１実施態様からなるヒール靴用の中間パッドと、を備えている。
【００１３】
本発明の第２実施態様によると、前記ヒール靴が本発明の第１実施態様からなる前記中間パッドを備えている。そのため、本発明の第２実施態様によると、本発明の第１実施態様による作用と同様の作用を奏する。
【００１４】
本発明の第３実施態様は、ヒール靴内に敷設される中敷パッドにおいて、踵対応部の表面に、足の踵部を保持する凹曲面形状の保持部が形成され、前記保持部の後縁が踵対応部の表面の後縁に一致している。
【００１５】
本発明の第３実施態様では、長さ方向に沿った縦断面における、踵対応部の裏面の後縁側の仮想延長線と表面の後縁側の仮想延長線とのなす角は、５度〜２０度に設定されてもよい。
【００１６】
本発明の第３実施態様によると、前述のように、前記中敷パッドの踵対応部の表面に凹曲面形状の前記保持部が形成されている。前記保持部の後縁が前記中敷パッドの踵対応部の表面の後縁に一致している。そのため、特殊な靴型及び特殊なヒールを用いることなく、歩行時に前方向の力が足の踵部に働くことを抑えつつ、足の踵部を安定的に保持することができる。
【発明の効果】
【００１７】
本発明によれば、前記ヒール靴の製造コストの低減を図りつつ、歩行中における足の前滑りを抑制して、歩行の安定性を図ることができる。
【図面の簡単な説明】
【００１８】
【図１】図１は、本発明の第１実施形態に係るパンプスの斜視図である。
【図２】図２は、本発明の第１実施形態に係るパンプスの長さ方向に沿った縦断面図である。
【図３】図３は、本発明の第１実施形態に係るパンプスの幅方向に沿った横断面図である。
【図４】図４は、本発明の第１実施形態に係るヒール靴用の中間パッドの平面図（接足面側から見た図）である。
【図５】図５は、本発明の第１実施形態に係るヒール靴用の中間パッドの長さ方向に沿った縦断面図である。
【図６】図６（ａ）は、図４におけるVIA-VIA線に沿った断面図であり、図６（ｂ）は、図４におけるVIB-VIB線に沿った断面図であり、図６（ｃ）は、図４におけるVIC-VIC線に沿った断面図である。
【図７】図７（ａ）は、接地状態の足の踵部を中間パッドによって保持する様子を示す図であり、図７（ｂ）は、地面から離れた足の踵部を中間パッドによって保持する様子を示す図である。
【図８】図８は、本発明の第２実施形態に係るパンプスの斜視図である。
【図９】図９は、本発明の第２実施形態に係る中敷パッドの平面図（接足面側から見た図）である。
【発明を実施するための形態】
【００１９】
以下、本発明の第１実施形態及び第２実施形態について図１から図９参照して説明する。
【００２０】
なお、本願の明細書及び特許請求の範囲の記載において、「設けられる」とは、別部材を介して間接的に設けられること、接合されること、及び一体形成されることを含む意である。「接合される」とは、別部材を介して間接的に接合されることを含む意である。「長さ方向」とは、ヒール靴、本底、中底、中敷、中間パッド、中敷パッド、又は足の長さ方向のことをいい、前後方向と同義である。「幅方向」とは、ヒール靴、本底、中底、中敷、中間パッド、中敷パッド、又は足の幅方向のことをいう。「幅方向内側」とは、ヒール靴、本底、中底、中敷、中間パッド、中敷パッド、又は足の幅方向の内側のことをいう。「幅方向外側」とは、ヒール靴、本底、中底、中敷、中間パッド、中敷パッド、又は足の幅方向の外側のことをいう。「表面」とは、接足面側の面こという。「裏面」とは、接地面側の面ことをいう。
【００２１】
図面中、「ＬＤ」は長さ方向、「ＬＤｆ」は長さ方向一方側（前側）、「ＬＤｒ」は長さ方向他方側（後側）、「ＷＤ」は幅方向、「ＷＤｉ」は幅方向内側、「ＷＤｏ」は幅方向外側、「ＵＤ」は上方向、「ＤＤ」は下方向をそれぞれ指している。
【００２２】
（第１実施形態）
図１から図３に示すように、本発明の第１実施形態に係るパンプス１０は、ヒール靴の１つであって、足Ｆの踵部Ｆａに対応する踵対応部１０ａと、足Ｆの土踏まず部Ｆｂに対応する土踏まず対応部１０ｂと、足Ｆの踏付部Ｆｃに対応する踏付対応部１０ｃと、足Ｆの爪先部Ｆｄに対応する爪先対応部１０ｄとを有している。パンプス１０の土踏まず対応部１０ｂは、踵対応部１０ａを踏付対応部１０ｃ（爪先対応部１０ｄ）よりも高くするように、水平方向に対して傾斜している。
【００２３】
パンプス１０は、地面に接触する本底１２を備えており、本底１２は、パンプス１０のベースになっている。本底１２は、パンプス１０の土踏まず対応部１０ｂの一部を構成する土踏まず対応部１２ｂと、パンプス１０の踏付対応部１０ｃの一部を構成する踏付対応部１２ｃと、パンプス１０の爪先対応部１０ｄの一部を構成する爪先対応部１２ｄとを有している。本底１２は、その土踏まず対応部１２ｂの後側に、連結部１２ｊを有している。また、本底１２は、屈曲性及び反発弾性に優れた材料として、例えば、天然ゴム、スチレン・ブタジエンゴム、イソプレンゴム、ウレタンゴム等により構成されている。
【００２４】
本底１２の表面には、パンプス１０の骨格となる中底１４が接合されている。中底１４は、パンプス１０の踵対応部１０ａの一部を構成する踵対応部１４ａと、パンプス１０の土踏まず対応部１０ｂの一部を構成する土踏まず対応部１４ｂと、パンプス１０の踏付対応部１０ｃの一部を構成する踏付対応部１４ｃと、パンプス１０の爪先対応部１０ｄの一部を構成する爪先対応部１４ｄとを有している。また、中底１４は、セルローズファイバボードを含む３層構造により構成されている。中底１４は、その内部に、金属製のシャンク（図示省略）を有している。
【００２５】
中底１４の踵対応部１４ａの裏面には、地面に接触するヒール１６が設けられている。ヒール１６は、中底１４の踵対応部１４ａの裏面に接合されたヒール本体１８と、ヒール本体１８の先端面（下端面）に接合されたヒール底２０とを有している。ヒール本体１８の前面は、本底１２の連結部１２ｊに接合されている。ヒール本体１８は、ＡＢＳ（アクリロニトリルブタジエンスチレン）、ナイロン、ポリウレタン、ポリカーボネート等により構成されており、ヒール底２０は、ゴム等の弾性体により構成されている。なお、ヒール１６を本底１２と別部材により構成しているが、本底１２と同一部材により構成してもよい。
【００２６】
中底１４の表面には、足Ｆの足裏に接触する中敷２２が接合されている。中敷２２は、中底１４と同様に、パンプス１０の踵対応部１０ａの一部を構成する踵対応部２２ａと、パンプス１０の土踏まず対応部１０ｂの一部を構成する土踏まず対応部２２ｂと、パンプス１０の踏付対応部１０ｃの一部を構成する踏付対応部２２ｃと、パンプス１０の爪先対応部１０ｄの一部を構成する爪先対応部２２ｄとを有している。また、中敷２２は、例えば、馬革等の天然皮革、人工皮革、合成皮革、又は合成繊維等により構成されている。
【００２７】
図１から図５に示すように、中底１４の踵対応部１４ａの表面から土踏まず対応部１４ｂの表面にかけて、クッション性のあるヒール靴用の中間パッド２４が接合されている。中間パッド２４の表面は、中敷２２の踵対応部２２ａ及び土踏まず対応部２２ｂの裏面に接合されている。換言すれば、中底１４の表面と中敷２２の裏面との間には、ヒール靴用の中間パッド２４が設けられている。中間パッド２４は、パンプス１０の踵対応部１０ａの一部を構成する踵対応部２４ａと、パンプス１０の土踏まず対応部１０ｂの一部を構成する土踏まず対応部２４ｂとを有している。中間パッド２４の踵対応部２４ａの表面の後縁２４ａｔは、中間パッド２４の表面の後縁であり、中間パッド２４の踵対応部２４ａの裏面の後縁２４ａｅは、中間パッド２４の裏面の後縁である。また、中間パッド２４は、例えば、ウレタンフォーム、エチレン−酢酸ビニル共重合体（ＥＶＡ）等の熱可塑性合成樹脂の発泡体、又はブタジエンラバー等のラバー素材の発泡体により構成されている。
【００２８】
図１から図３に示すように、中底１４には、足Ｆの甲を覆う甲革（アッパー）２６が設けられており、甲革２６の下側の周縁部は、中底１４の裏面側に吊り込まれている。また、甲革２６は、表革２８と、表革２８の裏側に接合された裏革３０とを有している。甲革２６は、例えば、牛革等の天然皮革、人工皮革、又は合成皮革等により構成されている。
【００２９】
続いて、本発明の第１実施形態の要部であるヒール靴用の中間パッド２４の特徴部分について説明する。
【００３０】
図４から図６（ａ）（ｂ）（ｃ）に示すように、中間パッド２４の幅方向内側及び幅方向外側には、上方向（斜め上方向）に向かって立ち上がる立ち上がり部３２が長さ方向に沿ってそれぞれ形成されている。また、各立ち上がり部３２は、上方向に向かって徐々に薄肉になっている。各立ち上がり部３２の踵対応部２４ａ側の立ち上がり角θは、土踏まず対応部２４ｂ側の立ち上がり角θよりも大きくなっている。各立ち上がり部３２の立ち上がり線ＳＬは、中間パッド２４の土踏まず対応部２４ｂの表面の前縁２４ｂｆから後縁２４ａｔにかけて延びている。ここで、立ち上がり部３２の立ち上がり角θとは、幅方向に平行な方向に対する立ち上がり部３２の傾斜角のことをいう。立ち上がり部３２の立ち上がり線ＳＬとは、立ち上がり部３２の基端側にアールが付いていないと仮定した場合に、立ち上がり部３２の基端側に見える仮想線のことをいう。
【００３１】
中間パッド２４の踵対応部２４ａの表面には、踵部Ｆａの踵骨Ｆａｂを保持する球面形状（凹曲面形状の１つ）の保持部３４が形成されており、保持部３４は、一対の立ち上がり部３２の間に配置されている。保持部３４の後縁３４ｔは、中間パッド２４の踵対応部２４ａの表面の後縁２４ａｔに一致している。ここで、球面形状とは、曲率半径が等しい真球形状に限定されるものではなく、位置によって曲率半径が変化する凹曲面形状を含む意である。
【００３２】
中間パッド２４の長さ方向に沿った縦断面における、中間パッド２４の踵対応部２４ａの裏面の後縁２４ａｅ側の仮想延長線ＶＬ１と表面の後縁２４ａｔ側の仮想延長線ＶＬ２とのなす角αは、５度〜２０度に設定されている。角αを５度以上に設定したのは、５度未満であると、保持部３４によって足Ｆの踵部Ｆａを安定的に保持することが困難になるからである。角αを２０度以下に設定したのは、２０度を超えると、歩行時に前方向の力が足Ｆの踵部Ｆａに働くことを十分に抑えることができないからである。
【００３３】
続いて、本発明の第１実施形態の作用効果について説明する。
【００３４】
（第１の作用効果）
前述のように、中間パッド２４の踵対応部２４ａの表面に球面形状の保持部３４が形成されており、保持部３４の後縁３４ｔが中間パッド２４の踵対応部２４ａの表面の後縁２４ａｔに一致している。中間パッド２４の長さ方向に沿った縦断面における仮想延長線ＶＬ１と仮想延長線ＶＬ２とのなす角αが５度〜２０度に設定されている。そのため、歩行時に前方向の力が足の踵部に働くことを十分に抑えつつ、足Ｆの土踏まず部Ｆｂとパンプス１０の土踏まず対応部１０ｂ（中敷２２の土踏まず対応部２２ｂ）と密着度を高めて、足Ｆの踵部Ｆａを安定的に保持することができる。
【００３５】
また、前述のように、各立ち上がり部３２の踵対応部２４ａ側の立ち上がり角θが土踏まず対応部２４ｂ側の立ち上がり角θよりも大きくなっている。そのため、図７（ａ）（ｂ）に示すように、接地によって足Ｆの踵部Ｆａが幅方向に拡大しても、一対の立ち上がり部３２によって足Ｆの踵部Ｆａの両側部を包み込むように保持することができ、足Ｆの踵部Ｆａをより安定的に保持することができる。なお、図７（ａ）は、接地状態の足Ｆの踵部Ｆａを中間パッド２４によって保持する様子を示す図であり、図７（ｂ）は、地面から離れた足Ｆの踵部Ｆａを中間パッド２４によって保持する様子を示す図である。
【００３６】
従って、本発明の第１実施形態によれば、パンプス１０の製造コストの低減を図りつつ、歩行中における足Ｆの前滑りを抑制して、歩行の安定性を十分に図ることができる。
【００３７】
（第２の作用効果）
保持部３４の後縁３４ｔが中間パッド２４の踵対応部２４ａの表面の後縁２４ａｔに一致しているため、中敷２２の踵対応部２２ａを中間パッド２４の表面に接合する際に、中敷２２の踵対応部２２ａにしわが発生し難くなり、パンプス１０の製品精度を高めることができる。
【００３８】
（第２実施形態）
図８及び図９に示すように、本発明の第２実施形態に係る中敷パッド３６は、ヒール靴の一例としてのパンプス３８内に着脱可能に敷設される。なお、中敷パッド３６をパンプス３８内に一体的に設置してもよい。パンプス３８は、中間パッド２４を省略した点を除き、パンプス１０（図１及び図２参照）と同様の構成を有しており、パンプス３８における複数の構成要素のうち、パンプス１０における構成要素と対応するものについては、図面中に同一符号を付してある。
【００３９】
中敷パッド３６は、足Ｆの踵部Ｆａ（図２参照）に対応する踵対応部３６ａと、足Ｆの土踏まず部Ｆｂ（図２参照）に対応した土踏まず対応部３６ｂとを有している。また、中敷パッド３６は、中間パッド２４（図４参照）と同様に、例えば、ウレタンフォーム、エチレン−酢酸ビニル共重合体（ＥＶＡ）等の熱可塑性合成樹脂の発泡体、又はブタジエンラバー等のラバー素材の発泡体により構成されている。その他、中敷パッド３６は、中間パッド２４と同様の構成を有しており、中敷パッド３６における複数の構成要素のうち、中間パッド２４における構成要素と対応するものについては、図面中に同一符号を付してある。保持部３４の後縁３４ｔは、中敷パッド３６の踵対応部３６ａの表面の後縁３６ａｔに一致している。
【００４０】
そして、中敷パッド３６が中間パッド２４と同様の構成を有しているため、本発明の第２実施形態においても、前述の第１の作用効果と同様の作用効果を奏する。
【００４１】
なお、本発明は、前述の実施形態の説明に限られるものではなく、適宜の変更を行うことにより、その他種々の態様で実施可能である。また、本発明に包含される権利範囲は、前述の実施形態に限定されないものでない。
【符号の説明】
【００４２】
１０      パンプス（ヒール靴）
１０ａ    パンプスの踵対応部
１０ｂ    パンプスの土踏まず対応部
１０ｃ    パンプスの踏付対応部
１０ｄ    パンプスの爪先対応部
１２      本底
１４      中底
１４ａ    中底の踵対応部
１６      ヒール
２２      中敷
２４      中間パッド（ヒール靴用の中間パッド）
２４ａ    中間パッドの踵対応部
２４ａｔ  中間パッドの表面の踵対応部の表面の後縁
２４ａｅ  中間パッドの裏面の後縁
２４ｂ    中間パッドの土踏まず対応部
２６      甲革
３２      立ち上がり部
ＳＬ      立ち上がり部の立ち上がり線
３４      保持部
３４ｔ    保持部の後縁
ＶＬ１    中間パッドの踵対応部の裏面の後縁側の仮想延長線
ＶＬ２    中間パッドの踵対応部の表面の後縁側の仮想延長線
３６      中敷パッド
３６ａ    中敷パッドの踵対応部
３６ａｔ  中敷パッドの踵対応部の表面の後縁
３６ｂ    中敷パッドの土踏まず対応部
３８      パンプス（ヒール靴）
【図１】
2020089518.tif 000003
【図２】
2020089518.tif 000004
【図３】
2020089518.tif 000005
【図４】
2020089518.tif 000006
【図５】
2020089518.tif 000007
【図６】
2020089518.tif 000008
【図７】
2020089518.tif 000009
【図８】
2020089518.tif 000010
【図９】
2020089518.tif 000011